(57)【要約】【課題】本発明は、設計及び製造が便利である分離型携帯式電子装置を提供することを目的とする。【解決手段】本発明に係る携帯式電子装置は、主要端末及び補助端末を備える。前記主要端末は、マイクロプロセッサと、記憶モジュールと、ベースバンド処理モジュールと、第一通信モジュールと、第二通信モジュールと、を備え、前記補助端末は、マイクロホンと、スピーカーと、音声エンコーダーと、キーパッドと、表示部と、第三信モジュールと、を備える。【選択図】図１
2011050034.tif 000002
【特許請求の範囲】
【請求項１】
主要端末と、補助端末と、を備えた携帯式電子装置において、
前記主要端末は、マイクロプロセッサと、記憶モジュールと、ベースバンド処理モジュールと、第一通信モジュールと、第二通信モジュールと、を備え、
前記マイクロプロセッサは、前記記憶モジュール、前記ベースバンド処理モジュール、前記第一通信モジュール及び前記第二通信モジュールの正常な作業を制御し、
前記記憶モジュールは、前記主要端末の正常な作業を指示する指令、アプリケーション及び各項データを記憶し、
前記ベースバンド処理モジュールは、前記第一通信モジュール及び前記第二通信モジュールが送信・受信する信号を処理し、
前記第一通信モジュール及び前記第二通信モジュールは、それぞれ遠距離及び短距離の無線通信を行い、
前記補助端末は、マイクロホンと、スピーカーと、音声エンコーダーと、キーパッドと、表示部と、第三信モジュールと、を備え、
前記マイクロホン及び前記スピーカーは、前記音声エンコーダーを介して前記第三通信モジュールに接続され、
前記第三通信モジュールが前記第二通信モジュールと短距離の無線通信を行う場合、前記マイクロプロセッサは、前記キーパッド又は表示部によって入力された情報を受けてから前記受けた情報を処理し、
前記表示部は、前記マイクロプロセッサの制御下で情報を表示することを特徴とする携帯式電子装置。
【請求項２】
前記補助端末は、一端が前記キーパッドに接続され、他端が前記第三通信モジュールに接続される入力制御モジュールをさらに備え、
前記キーパッドは、前記入力制御モジュール及び前記第三通信モジュールを介して前記主要端末に情報を入力することを特徴とする請求項１に記載の携帯式電子装置。
【請求項３】
前記補助端末は、一端が前記表示部に接続され、他端が前記第三通信モジュールに接続される表示モジュールをさらに備え、
前記表示部は、前記表示モジュール及び前記第三通信モジュールを介して前記主要端末の情報を表示することを特徴とする請求項２に記載の携帯式電子装置。
【発明の詳細な説明】
【技術分野】
【０００１】
本発明は、携帯式電子装置に関し、特に分離型携帯式電子装置に関するものである。
【背景技術】
【０００２】
無線通信技術、情報処理技術の迅速の発展及び人々の生活水準の向上に従って、携帯式電話、ＰＤＡなどのような携帯式電子装置は、広く用いられており、日常生活において必需品になっている。
【０００３】
しかし、従来の携帯式電子装置は、音声の入力及び出力、情報の入力及び表示、無線通信などのような機能を統合するために、前記携帯式電子装置の有限の体積内に各機能に対応される複数のチップ又は回路を配置しなければならないから、携帯式電子装置の設計及び製造が難くなるとともに、携帯式電子装置の小型化の発展に不利になる。
【発明の概要】
【発明が解決しようとする課題】
【０００４】
以上の問題点に鑑みて、本発明は、設計及び製造が便利である分離型携帯式電子装置を提供することを目的とする。
【課題を解決するための手段】
【０００５】
前記問題を解決するために、本発明に係る携帯式電子装置は、主要端末及び補助端末を備える。前記主要端末は、マイクロプロセッサと、記憶モジュールと、ベースバンド処理モジュールと、第一通信モジュールと、第二通信モジュールと、を備え、前記マイクロプロセッサは、前記記憶モジュール、前記ベースバンド処理モジュール、前記第一通信モジュール及び前記第二通信モジュールの正常な作業を制御し、前記記憶モジュールは、前記主要端末の正常な作業を指示する指令、アプリケーション及び各項データを記憶し、前記ベースバンド処理モジュールは、前記第一通信モジュール及び前記第二通信モジュールが送信・受信する信号を処理し、前記第一通信モジュール及び前記第二通信モジュールは、それぞれ遠距離及び短距離の無線通信を行う。前記補助端末は、マイクロホンと、スピーカーと、音声エンコーダーと、キーパッドと、表示部と、第三信モジュールと、を備え、前記マイクロホン及び前記スピーカーは、前記音声エンコーダーを介して前記第三通信モジュールに接続され、前記第三通信モジュールが前記第二通信モジュールと短距離の無線通信を行う場合、前記マイクロプロセッサは前記キーパッド又は表示部によって入力された情報を受けてから前記受けた情報を処理し、前記表示部は前記マイクロプロセッサの制御下で情報を表示する。
【発明の効果】
【０００６】
本発明に係る分離型携帯式電子装置において、主要端末によって制御及び通信が実現され、補助端末によって音声信号の入力及び出力、情報の入力及び表示が実現され、且つ前記補助端末は前記主要端末と短距離通信を行い、前記主要端末は他の通信装置と遠距離通信を行うことによって、前記携帯式電子装置の設計及び製造は前記主要端末又は前記補助端末に限定されないので、本発明に係る分離型携帯式電子装置の設計及び製造の難度が効果的に低下する。また、本発明に係る分離型携帯式電子装置を使用する場合には、補助端末だけを携帯するので、前記分離型携帯式電子装置の使用は便利である。また、複数の補助端末は１つの主要端末を共同使用するので、前記複数の補助端末が前記主要端末を充分に利用し、本発明に係る分離型携帯式電子装置の実用性が向上する。
【図面の簡単な説明】
【０００７】
【図１】本発明に係る携帯式電子装置のブロック図である。
【図２】本発明に係る携帯式電子装置の主要端末のブロック図である。
【図３】本発明に係る携帯式電子装置の補助端末のブロック図である。
【発明を実施するための形態】
【０００８】
以下、図面に基づいて、本発明に係る携帯式電子装置について詳細に説明する。
【０００９】
図１に示したように、本発明に係る携帯式電子装置１００は、１つの主要端末１０及び前記主要端末１０と分離的に設置されている複数の補助端末２０を備える。前記主要端末１０と前記補助端末２０とは短距離の無線通信を行う。
【００１０】
図２に示したように、前記主要端末１０は、マイクロプロセッサ１１と、記憶モジュール１２と、ベースバンド（Ｂａｓｅｂａｎｄ）処理モジュール１３と、第一通信モジュール１４と、第二通信モジュール１５と、を備える。前記記憶モジュール１２及び前記ベースバンド処理モジュール１３は前記マイクロプロセッサ１１に接続され、前記第一通信モジュール１４及び前記第二通信モジュール１５は前記ベースバンド処理モジュール１３に接続されている。
【００１１】
前記マイクロプロセッサ１１は、従来の携帯式電子装置の中央処理装置（ＣＰＵ）であり、前記記憶モジュール１２、前記ベースバンド処理モジュール１３、前記第一通信モジュール１４及び前記第二通信モジュール１５の正常な作業を制御する。
【００１２】
前記記憶モジュール１２は、前記主要端末１０の正常な作業を指示する指令、アプリケーション（Ａｐｐｌｉｃａｔｉｏｎ）及び各項データを記憶する。
【００１３】
前記ベースバンド処理モジュール１３は、前記第一通信モジュール１４が送信・受信する信号と前記第二通信モジュール１５が送信・受信する信号とを処理する。前記第一通信モジュール１４は、他の通信装置と遠距離の無線通信を行い、互いに電気接続されている第一送信・受信モジュール１４１及び第一アンテナ１４２を備える。前記第二通信モジュール１５は、前記補助端末２０と短距離の無線通信を行い、互いに電気接続されている第二送信・受信モジュール１５１及び第二アンテナ１５２を備える。前記第二通信モジュール１５は、ブルートゥース（Ｂｌｕｅｔｏｏｔｈ）モジュールまたは超広帯域無線（Ｕｌｔｒａ  Ｗｉｄｅ  Ｂａｎｄ）モジュールであることができる。
【００１４】
図３に示したように、前記補助端末２０は、マイクロホン２１と、スピーカー２２と、音声エンコーダー２３と、キーパッド２４と、入力制御モジュール２５と、表示部２６と、表示モジュール２７と、第三信モジュール２８と、を備える。前記マイクロホン２１及び前記スピーカー２２は前記音声エンコーダー２３に接続され、前記キーパッド２４は前記入力制御モジュール２５に接続され、前記表示部２６は前記入力制御モジュール２５及び表示モジュール２７に接続され、前記音声エンコーダー２３、前記入力制御モジュール２５及び前記表示モジュール２７は前記第三信モジュール２８にそれぞれ接続されている。
【００１５】
前記マイクロホン２１は、前記音声エンコーダー２３に音声信号を入力する。前記スピーカー２２は、前記音声エンコーダー２３から音声信号を出力する。前記音声エンコーダー２３は、前記マイクロホン２１から入力された音声信号を処理してから前記第三通信モジュール２８に伝送し、また前記第三通信モジュール２８から伝送された音声信号を処理してから前記スピーカー２２に伝送する。前記キーパッド２４は、前記入力制御モジュール２５に情報を入力する。前記入力制御モジュール２５は、従来のキーパッドの入力及びタッチパネルの入力を制御し、且つ前記キーパッド２４及び表示部２６によって入力された情報を前記第三通信モジュール２８及び表示モジュール２７に伝送する。前記表示部２６は、タッチ方式を通して前記入力制御モジュール２５に情報を入力する一方、前記表示モジュール２７によって伝送された情報を表示する。前記表示モジュール２７は、前記入力制御モジュール２５に入力された情報及び前記第三通信モジュール２８によって伝送された情報を受け取り、前記受け取った情報を前記表示部２６に伝送する。
【００１６】
前記第三通信モジュール２８は、短距離の無線通信を行い、互いに電気接続されている第三送信・受信モジュール２８１及び第三アンテナ２８２を備える。前記第三通信モジュール２８は、ブルートゥースモジュールまたは超広帯域無線モジュールでありえる。前記第三通信モジュール２８は前記第二通信モジュール１５と短距離の無線通信を行う。前記第三アンテナ２８２は、情報を送信・受信し、且つ、前記第三送信・受信モジュール２８１を介して前記音声エンコーダー２３及び前記表示モジュール２７に、前記受信した情報を伝送する。
【００１７】
前記携帯式電子装置１００を使用して他の通信装置と通信を行う時、前記主要端末１０のマイクロプロセッサ１１は、前記補助端末２０のマイクロホン２１が音声信号の入力すること、又は前記キーパッド２４及び表示部２６が前記入力制御モジュール２５へデータ情報を入力することを制御する。前記音声信号は前記音声エンコーダー２３によってコーディング（Ｃｏｄｏｎｇ）されてから前記第三通信モジュール２８に伝送され、前記データ情報は前記入力制御モジュール２５を介して前記第三通信モジュール２８に伝送される。前記第三通信モジュール２８は、ブルートゥース方式または超広帯域無線方式により、
前記音声信号及び／又は前記データ情報を前記主要端末１０の第二通信モジュール１５に伝送する。前記第二通信モジュール１５は、受信した前記音声信号及び／又は前記データ情報を前記ベースバンド処理モジュールに伝送し処理した後、前記第一通信モジュール１４に伝送する。前記第一通信モジュール１４は、前記ベースバンド処理モジュールによって処理され伝送された前記音声信号及び／又は前記データ情報を他の通信装置に伝送する。
【００１８】
また、前記主要端末１０の第一通信モジュール１４は、他の通信装置から音声信号及び／又はデータ情報を獲得してから、前記第二通信モジュール１５を介して前記補助端末２０の第三通信モジュール２８に伝送する。前記第三通信モジュール２８は、受信した前記音声信号及び／又はデータ情報を前記音声エンコーダー２３及び表示モジュール２７に伝送する。最後、前記マイクロプロセッサ１１を通して前記スピーカー２２からの音声信号の出力及び前記表示部２６でのデータ情報の表示を制御する。
【００１９】
本発明に係る分離型携帯式電子装置１００において、主要端末１０によって制御及び通信が実現され、補助端末２０によって音声信号の入力及び出力、情報の入力及び表示が実現され、且つ前記補助端末２０は前記主要端末１０と短距離通信を行い、前記主要端末１０は他の通信装置と遠距離通信を行うことによって、前記携帯式電子装置１００の設計及び製造は前記主要端末１０又は前記補助端末２０に限定されないので、本発明に係る分離型携帯式電子装置１００の設計及び製造の難度が効果的に低下する。
【００２０】
また、本発明に係る分離型携帯式電子装置１００を使用する場合には、補助端末２０だけを携帯するので、前記分離型携帯式電子装置１００の使用は便利である。また、複数の補助端末２０が１つの主要端末１０を共同使用するので、前記複数の補助端末２０が前記主要端末１０を充分に利用し、本発明に係る分離型携帯式電子装置１００の実用性が向上する。
【００２１】
以上、本発明の好適な実施形態について詳細に説明したが、本発明は前記実施形態に限定されるものではなく、本発明の範囲内で種々の変形又は修正が可能であり、該変形又は修正も、また、本発明の特許請求の範囲内に含まれることはいうまでもない。
【符号の説明】
【００２２】
１００    携帯式電子装置
１０      主要端末
１１      マイクロプロセッサ
１２      記憶モジュール
１３      ベースバンド処理モジュール
１４      第一通信モジュール
１４１    第一送信・受信モジュール
１４２    第一アンテナ
１５      第二通信モジュール
１５１    第二送信・受信モジュール
１５２    第二アンテナ
２０      補助端末
２１      マイクロホン
２２      スピーカー
２３      音声エンコーダー
２４      キーパッド
２５      入力制御モジュール
２６      表示部
２７      表示モジュール
２８      第三信モジュール
２８１    第三送信・受信モジュール
２８２    第三アンテナ
【図１】
2011050034.tif 000003
【図２】
2011050034.tif 000004
【図３】
2011050034.tif 000005